(57)【特許請求の範囲】
【請求項１】
石炭をガス化するガス化炉と、
該ガス化炉から発生する熱を用いて蒸気を発生させる第１の蒸発器と、
前記ガス化炉により生成されたガスを用いて駆動されるガスタービンと、
該ガスタービンからの排ガスを用いて蒸気を発生させる排ガスボイラと、
該排ガスボイラからの蒸気を用いて駆動される蒸気タービンと、
前記ガスタービンおよび前記蒸気タービンにより発電を行う発電機とを具備する石炭ガス化複合発電設備であって、
前記排ガスボイラは、
蒸気を発生させる第２の蒸発器と、
前記第１の蒸発器からの蒸気と前記第２の蒸発器からの蒸気とを混合する混合部と、
該混合部からの蒸気または前記第２の蒸発器からの蒸気を過熱する複数の過熱器と、
前記第１の蒸発器からの蒸気の流量が減少した場合に、前記混合部からの蒸気が、前記過熱器の少なくとも一つを迂回するように構成された過熱器迂回手段とを備える石炭ガス化複合発電設備。
【請求項２】
複数の前記過熱器は、蒸気を過熱する順に設けられた第１の過熱器、第２の過熱器、第３の過熱器、および第４の過熱器であり、
前記混合部は、前記第１の過熱器と前記第２の過熱器との間に設けられ、
前記第２の過熱器と前記第３の過熱器との間には、前記第２の過熱器からの蒸気に注水を行う注水部が設けられ、
前記過熱器迂回手段は、前記注水部を通過した蒸気が、前記第３の過熱器を迂回するように構成された請求項１に記載の石炭ガス化複合発電設備。
【請求項３】
前記過熱器迂回手段は、
前記注水部と前記第３の過熱器との間に設けられた第１の弁と、
前記第３の過熱器と前記第４の過熱器との間に設けられた第２の弁と、
前記注水部と前記第１の弁との間と、前記第２の弁と前記第４の過熱器との間とを接続する過熱器迂回路と、
該過熱器迂回路に設けられた第３の弁とを備える請求項２に記載の石炭ガス化複合発電設備。
【請求項４】
石炭をガス化するガス化炉と、
該ガス化炉から発生する熱を用いて蒸気を発生させる第１の蒸発器と、
前記ガス化炉により生成されたガスを用いて駆動されるガスタービンと、
該ガスタービンからの排ガスを用いて蒸気を発生させる排ガスボイラと、
該排ガスボイラからの蒸気を用いて駆動される第１の蒸気タービンと、
該第１の蒸気タービンを駆動させるために用いられた蒸気を用いて駆動される第２の蒸気タービンと、
前記ガスタービン、前記第１の蒸気タービン、および前記第２の蒸気タービンにより発電を行う発電機とを具備する石炭ガス化複合発電設備であって、
前記排ガスボイラは、
蒸気を発生させる第２の蒸発器と、
前記第１の蒸発器からの蒸気と前記第２の蒸発器からの蒸気とを混合する混合部と、
前記第１の蒸気タービンを駆動させるために用いられた蒸気を再過熱する複数の再熱器と、
前記第１の蒸発器からの蒸気の流量が減少した場合に、前記第１の蒸気タービンからの蒸気が、前記再熱器の少なくとも一つを迂回するように構成された再熱器迂回手段とを備える石炭ガス化複合発電設備。
【請求項５】
複数の前記再熱器は、蒸気を再過熱する順に設けられた第１の再熱器、第２の再熱器、および第３の再熱器であり、
前記第１の再熱器と前記第２の再熱器との間には、前記第１の再熱器からの蒸気に注水を行う再注水部が設けられ、
前記再熱器迂回手段は、前記再注水部を通過した蒸気が、前記第２の再熱器を迂回するように構成された請求項４に記載の石炭ガス化複合発電設備。
【請求項６】
前記再熱器迂回手段は、
前記再注水部と前記第２の再熱器との間に設けられた第４弁と、
前記第２の再熱器と前記第３の再熱器との間に設けられた第５の弁と、
前記再注水部と前記第４の弁との間と、前記第５の弁と前記第３の再熱器との間とを接続する再熱器迂回路と、
該再熱器迂回路に設けられた第６の弁とを備える請求項５に記載の石炭ガス化複合発電設備。
【発明の詳細な説明】
【技術分野】
【０００１】
本発明は、石炭ガス化炉とコンバインドサイクル発電とを組み合わせた石炭ガス化複合発電設備に関するものである。
【背景技術】
【０００２】
従来、石炭をガス化し、Ｃ／Ｃ（コンバインドサイクル発電）と組み合わせた石炭ガス化複合発電設備（以下、「ＩＧＣＣ」という。）が知られている（例えば、特許文献１参照）。
【０００３】
ＩＧＣＣは、資源量が豊富な石炭をガス化し、このガスを用いてガスタービンを駆動して発電するとともに、排ガスボイラによってガスタービンの排ガスが持つ熱エネルギーを回収して蒸気を発生させ、この蒸気によって蒸気タービンを駆動して発電する設備である。このように、ガスタービンおよび蒸気タービンを用いて電力を発生させることで、発電効率を向上させることができる。
【特許文献１】特開昭６１−２３３０８４号公報
【発明の開示】
【発明が解決しようとする課題】
【０００４】
ところで、特許文献１に開示されている石炭ガス化複合発電設備は、ガス化炉に設けられた蒸発器で発生させた蒸気と排ガスボイラで発生させた蒸気とを混合し、過熱器により過熱すると共に、スプレイにより注水を行うことにより、定格の排ガスボイラ出口温度を維持するように構成されている。したがって、排ガスボイラの過熱器の伝熱面は、排ガスボイラで発生させた蒸気量とガス化炉に設けられた蒸発器からの蒸気量とを加味した蒸気量で設計されている。
【０００５】
しかしながら、ガス化炉の異常やメンテナンス等の理由により、ガス化炉を停止して天然ガスや重油等の補助燃料による複合発電形式で運転する場合には、ガス化炉に設けられた蒸発器から蒸気が供給されないため、蒸気タービンには、排ガスボイラにより発生させた蒸気のみが供給される。したがって、排ガスボイラの過熱器の通過蒸気量は、設計流量よりも大幅に少なくなる場合がある。その結果、排ガスボイラの過熱器において収熱過多が発生し、スプレイの注水による冷却限度を超えて、蒸気温度が過度に上昇してしまう。この場合には、ガスタービンからの排ガス熱量を低減させる為、ガスタービンの負荷を低下せざるを得ず、発電効率の低下を招くという不都合がある。
【０００６】
本発明は、上記問題を解決するためになされたもので、ガス化炉を停止させた場合にも発電効率の低下を防止できる石炭ガス化複合発電設備を提供することを目的とする。
【課題を解決するための手段】
【０００７】
上記課題を解決するために、本発明は以下の手段を採用する。
本発明は、石炭をガス化するガス化炉と、該ガス化炉から発生する熱を用いて蒸気を発生させる第１の蒸発器と、前記ガス化炉により生成されたガスを用いて駆動されるガスタービンと、該ガスタービンからの排ガスを用いて蒸気を発生させる排ガスボイラと、該排ガスボイラからの蒸気を用いて駆動される蒸気タービンと、前記ガスタービンおよび前記蒸気タービンにより発電を行う発電機とを具備する石炭ガス化複合発電設備であって、前記排ガスボイラは、蒸気を発生させる第２の蒸発器と、前記第１の蒸発器からの蒸気と前記第２の蒸発器からの蒸気とを混合する混合部と、該混合部からの蒸気または前記第２の蒸発器からの蒸気を過熱する複数の過熱器と、前記第１の蒸発器からの蒸気の流量が減少した場合に、前記混合部からの蒸気が、前記過熱器の少なくとも一つを迂回するように構成された過熱器迂回手段とを備える石炭ガス化複合発電設備を採用する。
【０００８】
本発明によれば、ガス化炉の熱を用いて第１の蒸発器により発生させた蒸気と、排ガスボイラに備えられた第２の蒸発器により発生させた蒸気とを、混合部により混合し、第１の蒸発器からの蒸気の流量が減少した場合に、混合後の蒸気を過熱器迂回手段により過熱器の少なくとも一つを迂回させることができる。これにより、例えば、ガス化炉が停止して第１の蒸発器からの蒸気が供給されず、第２の蒸発器により発生させた蒸気のみを蒸気タービンに供給する場合にも、過熱器迂回手段により過熱器の少なくとも一つを迂回することで、蒸気温度が過度に上昇することを防止できる。その結果、蒸気タービンに供給する蒸気を適正温度とすることができるので、ガスタービンの負荷を低下させずに運転させることができ、発電効率の低下を防止することが可能となる。
【０００９】
上記発明において、複数の前記過熱器は、蒸気を過熱する順に設けられた第１の過熱器、第２の過熱器、第３の過熱器、および第４の過熱器であり、前記混合部は、前記第１の過熱器と前記第２の過熱器との間に設けられ、前記第２の過熱器と前記第３の過熱器との間には、前記第２の過熱器からの蒸気に注水を行う注水部が設けられ、前記過熱器迂回手段は、前記注水部を通過した蒸気が、前記第３の過熱器を迂回するように構成してもよい。
【００１０】
混合部を第１の過熱器と第２の過熱器との間に設け、注水部を第２の過熱器と第３の過熱器との間に設けることで、混合後の蒸気を第２の過熱器により過熱した上で、注水部により注水を行って温度調節ができる。これにより、注水時の蒸気温度を上げることができるので、注水により蒸気が飽和してしまうことを防止することができる。
また、過熱器迂回手段により第３の過熱器を迂回させることで、第２の過熱器からの蒸気を過度に過熱することなく、第４の過熱器により適正な温度まで過熱することができる。
【００１１】
上記発明において、前記過熱器迂回手段は、前記注水部と前記第３の過熱器との間に設けられた第１の弁と、前記第３の過熱器と前記第４の過熱器との間に設けられた第２の弁と、前記注水部と前記第１の弁との間と、前記第２の弁と前記第４の過熱器との間とを接続する過熱器迂回路と、該過熱器迂回路に設けられた第３の弁とを備えることとしてもよい。
【００１２】
ガス化炉が運転している場合、すなわち、第１の蒸発器からの蒸気が混合部に供給されている場合には、第１の弁および第２の弁を開とし、第３の弁を閉とすることで、混合後の蒸気を全ての過熱器により過熱して適正な温度とすることができる。一方、ガス化炉を停止している場合、すなわち、第１の蒸発器からの蒸気が混合部に供給されていない場合には、第１の弁および第２の弁を閉とし、第３の弁を開として過熱器迂回路を流通させることで、第２の蒸発器により発生させた蒸気を過度に過熱することを防止することができる。
【００１３】
また、本発明は、石炭をガス化するガス化炉と、該ガス化炉から発生する熱を用いて蒸気を発生させる第１の蒸発器と、前記ガス化炉により生成されたガスを用いて駆動されるガスタービンと、該ガスタービンからの排ガスを用いて蒸気を発生させる排ガスボイラと、該排ガスボイラからの蒸気を用いて駆動される第１の蒸気タービンと、該第１の蒸気タービンを駆動させるために用いられた蒸気を用いて駆動される第２の蒸気タービンと、前記ガスタービン、前記第１の蒸気タービン、および前記第２の蒸気タービンにより発電を行う発電機とを具備する石炭ガス化複合発電設備であって、前記排ガスボイラは、蒸気を発生させる第２の蒸発器と、前記第１の蒸発器からの蒸気と前記第２の蒸発器からの蒸気とを混合する混合部と、前記第１の蒸気タービンを駆動させるために用いられた蒸気を再過熱する複数の再熱器と、前記第１の蒸発器からの蒸気の流量が減少した場合に、前記第１の蒸気タービンからの蒸気が、前記再熱器の少なくとも一つを迂回するように構成された再熱器迂回手段とを備える石炭ガス化複合発電設備を採用する。
【００１４】
本発明によれば、第１の蒸発器からの蒸気の流量が減少した場合に、第１の蒸気タービンからの蒸気を再熱器迂回手段により再熱器の少なくとも一つを迂回させることができる。これにより、第１の蒸気タービンからの蒸気の流量が減少した場合にも、再熱器迂回手段により再熱器の少なくとも一つを迂回することで、第２の蒸気タービンに供給する蒸気の温度を過度に上昇させてしまうことを防止できる。その結果、第２の蒸気タービンに供給する蒸気を適正温度とすることができるので、ガスタービンの負荷を低下させずに運転させることができ、発電効率の低下を防止することが可能となる。ここで、例えば、第１の蒸気タービンは高圧蒸気タービンであり、第２の蒸気タービンは低圧または中圧蒸気タービンである。
【００１５】
上記発明において、複数の前記再熱器は、蒸気を再過熱する順に設けられた第１の再熱器、第２の再熱器、および第３の再熱器であり、前記第１の再熱器と前記第２の再熱器との間には、前記第１の再熱器からの蒸気に注水を行う再注水部が設けられ、前記再熱器迂回手段は、前記再注水部を通過した蒸気が、前記第２の再熱器を迂回するように構成されることとしてもよい。
【００１６】
再注水部を第１の再熱器と第２の再熱器との間に設けることで、第１の蒸気タービンからの蒸気を第１の再熱器により過熱した上で、再注水部により注水を行って温度調節ができる。これにより、注水時の蒸気温度を上げることができるので、注水により蒸気が飽和してしまうことを防止することができる。
また、再熱器迂回手段により第２の再熱器を迂回させることで、第１の再熱器からの蒸気を過度に過熱することなく、第３の再熱器により適正な温度まで過熱することができる。
【００１７】
上記発明において、前記再熱器迂回手段は、前記再注水部と前記第２の再熱器との間に設けられた第４弁と、前記第２の再熱器と前記第３の再熱器との間に設けられた第５の弁と、前記再注水部と前記第４の弁との間と、前記第５の弁と前記第３の再熱器との間とを接続する再熱器迂回路と、該再熱器迂回路に設けられた第６の弁とを備えることとしてもよい。
【００１８】
ガス化炉が運転している場合、すなわち、第１の蒸発器からの蒸気が混合部に供給されている場合には、第４の弁および第５の弁を開とし、第６の弁を閉とすることで、第１の蒸気タービンからの蒸気を全ての再熱器により再過熱して適正な温度とすることができる。一方、ガス化炉を停止している場合、すなわち、第１の蒸発器からの蒸気が混合部に供給されていない場合には、第４の弁および第５の弁を閉とし、第６の弁を開として再熱器迂回路を流通させることで、第１の蒸気タービンからの蒸気を過度に再過熱することを防止することができる。
【発明の効果】
【００１９】
本発明によれば、ガス化炉を停止させた場合にも発電効率の低下を防止できるという効果を奏する。
【発明を実施するための最良の形態】
【００２０】
以下、本発明の石炭ガス化複合発電設備の一実施態様について図面を参照して説明する。
図１に示すように、本実施形態に係る石炭ガス化複合発電設備１００は、石炭をガス化するガス化炉１と、ガス化炉１から発生する熱を用いて蒸気を発生させる蒸発器（第１の蒸発器）２と、ガス化炉１により生成されたガスを用いて駆動されるガスタービン２６と、ガスタービン２６からの排ガスを用いて蒸気を発生させる排ガスボイラ１０と、排ガスボイラ１０からの蒸気を用いて駆動される高圧タービン（蒸気タービン、第１の蒸気タービン）６と、高圧タービン６を駆動させるために用いられた蒸気を用いて駆動される中圧タービン９（第２の蒸気タービン）と、中圧タービン９を駆動させるために用いられた蒸気を用いて駆動される低圧タービン２１と、ガスタービン２６、高圧タービン６、中圧タービン９、および低圧タービン２１により発電を行う発電機４２とを主な構成要素として備えている。
【００２１】
排ガスボイラ１０は、蒸気を発生させる高圧蒸発器（第２の蒸発器）１１と、蒸発器２からの蒸気と高圧蒸発器１１からの蒸気とを混合する混合部３０と、混合部３０からの蒸気または高圧蒸発器１１からの蒸気を過熱する過熱器５と、高圧タービン６を駆動させるために用いられた蒸気を再過熱する再熱器８とを備えている。
【００２２】
図２に示すように、過熱器５は、高圧蒸発器１１からの蒸気が流通する順序に接続された、一次過熱器（第１の過熱器）５１、二次過熱器（第２の過熱器）５２、三次過熱器（第３の過熱器）５３、および四次過熱器（第４の過熱器）５４から構成されている。これら過熱器は、ガスタービン２６から供給される排ガスの上流側から、四次過熱器５４、三次過熱器５３、二次過熱器５２、一次過熱器５１の順序に従って、排ガスボイラ１０内に配置されている。
【００２３】
混合部３０は、一次過熱器５１と二次過熱器５２との間に設けられている。
二次過熱器５２と三次過熱器５３との間には、二次過熱器５２からの蒸気に注水を行う注水部６４が設けられており、スプレイ弁６５を開くことで、注水部６４内を流通する蒸気に注水を行うようになっている。
二次過熱器５２と四次過熱器５４との間には、過熱器迂回部（過熱器迂回手段）６０が設けられ、注水部６４を通過した蒸気が、三次過熱器５３を迂回可能なようになっている。
【００２４】
過熱器迂回部６０は、注水部６４と三次過熱器５３との間に設けられた弁（第１の弁）６１と、三次過熱器５３と四次過熱器５４との間に設けられた弁（第２の弁）６２と、注水部６４と弁６１との間と、弁６２と四次過熱器５４との間とを接続する過熱器迂回路６６と、過熱器迂回路６６に設けられた弁（第３の弁）６３とを備えている。
【００２５】
図４に示すように、再熱器８は、高圧タービン６からの蒸気が流通する順序に接続された、一次再熱器（第１の再熱器）８１、二次再熱器（第２の再熱器）８２、および三次再熱器（第３の再熱器）８３から構成されている。これら再熱器は、ガスタービン２６から供給される排ガスの上流側から、三次再熱器８３、二次再熱器８２、一次再熱器８１の順序に従って、排ガスボイラ１０内に配置されている。
【００２６】
一次再熱器８１と二次再熱器８２との間には、一次再熱器８１からの蒸気に注水を行う再注水部７４が設けられており、スプレイ弁７５を開くことで、再注水部７４を流通する蒸気に注水を行うようになっている。
一次再熱器８１と三次再熱器８３との間には、再熱器迂回部（再熱器迂回手段）７０が設けられ、再注水部７４を通過した蒸気が、二次再熱器８２を迂回可能なようになっている。
【００２７】
再熱器迂回部７０は、再注水部７４と二次再熱器８２との間に設けられた弁（第４の弁）７１と、二次再熱器８２と三次再熱器８３との間に設けられた弁（第５の弁）７２と、再注水部７４と弁７１との間と、弁７２と三次再熱器８３との間とを接続する再熱器迂回路７６と、再熱器迂回路７６に設けられた弁（第６の弁）７３とを備えている。
【００２８】
上記構成を有する石炭ガス化複合発電設備１００の全体フローについて、図１を用いて説明する。
ガス化炉１において石炭がガス化されると、生成されたガスは、ガスタービン２６に供給され、ガスタービン２６を駆動させる。そして、ガスタービン２６からの排ガスは、排ガスボイラ１０に供給される。
【００２９】
排ガスボイラ１０では、ガスタービン２６から供給される排ガスの上流側から配置された、過熱器５および再熱器８、高圧蒸発器１１、高圧節炭器１２、低圧過熱器１３、低圧蒸発器１４、並びに低圧節炭器１５により、ガスタービン２６の排ガスから熱回収が行われる。
【００３０】
一方、ガス化炉１において、ガス化の際に発生した熱の一部は、蒸発器２および過熱器３からなる熱交換器４３により回収される。熱交換器４３には、循環ポンプ２８により水が供給されており、回収した熱を利用して蒸気を発生させる。そして、熱交換器４３で発生させた蒸気は、排ガスボイラ１０に導かれ、排ガスボイラ１０内の高圧蒸発器１１により発生させた蒸気と混合部３０で混合される。なお、ガス化炉１側から排ガスボイラ１０側に供給する蒸気は、ガス化炉１におけるメタルの腐食防止のため比較的低い温度に制限される。
【００３１】
混合後の蒸気は、排ガスボイラ１０の過熱器５により所定の温度に過熱された後、高圧タービン６に供給される。
高圧タービン６を駆動させるために用いられた後の蒸気７は、排気ガスボイラ１０内の再熱器８により再過熱された後、中圧タービン９に供給される。
中圧タービン９を駆動させるために用いられた後の蒸気２９は、低圧タービン２１の入口部にて排ガスボイラ１０の低圧過熱器１３からの低圧蒸気２２と混合された後、低圧タービン２１に供給される。
【００３２】
上記のように供給されたガスまたは蒸気を用いて、ガスタービン２６、高圧タービン６、中圧タービン９、および低圧タービン２１を駆動させ、発電機４２により発電を行う。
【００３３】
次に、過熱器５および再熱器８において、蒸気を過熱する際の詳細な制御について、図３および図５を用いて説明する。
図３に示すように、過熱器迂回部６０は、過熱器３からの蒸気の流量が減少した場合に、混合部３０からの蒸気が、三次過熱器５３を迂回するように、弁６１、弁６２、および弁６３が制御される。
具体的には、石炭ガス化複合発電運転時、すなわち、熱交換器４３からの蒸気が混合部３０に供給されている場合には、弁６１および弁６２を開とし、弁６３を閉とすることで、混合後の蒸気を全ての過熱器により過熱する。一方、補助燃料による複合発電運転時、すなわち、熱交換器４３からの蒸気が混合部３０に供給されていない場合には、弁６１および弁６２を閉とし、弁６３を開として過熱器迂回路６０を流通させ、過度に蒸気を過熱することを防止する。
このように各弁を制御することで、ガス化炉１の運転状態に関わらず、安定した温度の蒸気を高圧タービン６に供給することが可能となる。
【００３４】
また、図５に示すように、再熱器迂回部７０は、過熱器３からの蒸気の流量が減少した場合に、高圧タービン６からの蒸気が、二次再熱器８２を迂回するように、弁７１、弁７２、および弁７３が制御される。
具体的には、石炭ガス化複合発電運転時、すなわち、熱交換器４３からの蒸気が混合部３０に供給されている場合には、弁７１および弁７２を開とし、弁７３を閉とすることで、高圧タービン６からの蒸気を全ての再熱器により過熱する。一方、補助燃料による複合発電運転時、すなわち、熱交換器４３からの蒸気が混合部３０に供給されていない場合には、弁７１および弁７２を閉とし、弁７３を開として再熱器迂回路７０を流通させ、過度に蒸気を過熱することを防止する。
このように各弁を制御することで、ガス化炉１の運転状態に関わらず、安定した温度の蒸気を中圧タービン９に供給することが可能となる。
【００３５】
以上のように、本実施形態に係る石炭ガス化複合発電設備１００によれば、ガス化炉１の熱を用いて蒸発器２により発生させた蒸気と、排ガスボイラ１０に備えられた高圧蒸発器１１により発生させた蒸気とを、混合部３０により混合し、蒸発器２からの蒸気の流量が減少した場合に、混合後の蒸気を過熱器迂回部６０により三次過熱器５３を迂回させることができる。これにより、例えば、ガス化炉１が停止して蒸発器２からの蒸気が供給されず、高圧蒸発器１１により発生させた蒸気のみを高圧タービン６に供給する場合にも、過熱器迂回部６０により三次過熱器５３を迂回することで、蒸気温度が過度に上昇することを防止できる。その結果、高圧タービン６に供給する蒸気を適正温度とすることができるので、ガスタービン２６の負荷を低下させずに運転させることができ、発電効率の低下を防止することが可能となる。
【００３６】
また、混合部３０を一次過熱器５１と二次過熱器５２との間に設け、注水部６４を二次過熱器５２と三次過熱器５３との間に設けることで、混合後の蒸気を二次過熱器５２により過熱した上で、注水部６４により注水を行って温度調節ができる。これにより、注水時の蒸気温度を上げることができるので、注水により蒸気が飽和してしまうことを防止することができる。
また、過熱器迂回部６０により三次過熱器５３を迂回させることで、二次過熱器５２からの蒸気を過度に過熱することなく、四次過熱器５４により適正な温度まで過熱することができる。
【００３７】
また、蒸発器２からの蒸気の流量が減少した場合に、高圧タービン６からの蒸気を再熱器迂回部７０により二次再熱器８２を迂回させることで、高圧タービン６からの蒸気の流量が減少した場合にも、中圧タービン９に供給する蒸気の温度を過度に上昇させてしまうことを防止できる。その結果、中圧タービン９に供給する蒸気を適正温度とすることができるので、ガスタービン２６の負荷を低下させずに運転させることができ、発電効率の低下を防止することが可能となる。
【００３８】
以上、本発明の実施形態について図面を参照して詳述してきたが、具体的な構成はこの実施形態に限られるものではなく、本発明の要旨を逸脱しない範囲の設計変更等も含まれる。
例えば、上述した実施形態においては、過熱器５が、４つの過熱器から構成されるものとして説明したが、複数であればよく、特に、４つ以上の過熱器を有することで、細やかな蒸気温度の制御が可能となる。
また、同様に、再熱器８が、３つの再熱器から構成されるものとして説明したが、複数であればよく、特に、３つ以上の再熱器を有することで、細やかな蒸気温度の制御が可能となる。
また、上述した実施形態においては、低圧蒸気系統、中圧蒸気系統、高圧蒸気系統を1系統ずつ備える例を説明したが、例えば、低圧蒸気系統の代わりに中圧蒸気系統を設け、その発生蒸気を再熱器８入口に回収することとしてもよいし、中圧蒸気系統と低圧蒸気系統の２系統であっても良い。このような構成を有する場合にも、本実施形態と同様の作用効果を奏することが可能である。
【図面の簡単な説明】
【００３９】
【図１】本発明の一実施形態に係る石炭ガス化複合発電設備の全体構成を示す概略構成図である。
【図２】図１に示すＡ部の部分拡大図である。
【図３】図２に示す各弁の動作を説明する図である。
【図４】図１に示すＢ部の部分拡大図である。
【図５】図４に示す各弁の動作を説明する図である。
【符号の説明】
【００４０】
１  ガス化炉
２  蒸発器
３  過熱器
５  過熱器
６  高圧タービン
８  再熱器
９  中圧タービン
１０  排ガスボイラ
１１  高圧蒸発器
２１  低圧タービン
２６  ガスタービン
３０  混合部
４２  発電機
５１  一次過熱器
５２  二次過熱器
５３  三次過熱器
５４  四次過熱器
６０  過熱器迂回部
６１，６２，６３  弁
６４  注水部
６５  スプレイ弁
６６  過熱器迂回路
８１  一次再熱器
８２  二次再熱器
８３  三次再熱器
７０  再熱器迂回部
７１，７２，７３  弁
７４  再注水部
７５  スプレイ弁
７６  再熱器迂回路
１００  石炭ガス化複合発電設備
【図１】
0004898722.tif 000002
【図２】
0004898722.tif 000003
【図３】
0004898722.tif 000004
【図４】
0004898722.tif 000005
【図５】
0004898722.tif 000006